(57)【特許請求の範囲】
【請求項１】
電線を固定した電線カバーを接続箱本体の溝状の凹部に電線長手方向にスライド係合させる電気接続箱の電線カバー構造であって、前記電線カバーが、電線挿通用の樋状部と、該樋状部の幅方向両側に設けられ、前記凹部の両側のガイド部に対するスライド係合部とを有し、該凹部への該電線カバーの誤組付を防止するための突出部が、該樋状部の一側において該凹部の奥側に向けて突出形成され、該凹部の該奥側の壁部側に該突出部を進入係合させる第二のガイド部が設けられ、該誤組付の際に該突出部が該凹部の該奥側の壁部に当接することを特徴とする電気接続箱の電線カバー構造。
【請求項２】
電線を固定した電線カバーを接続箱本体の凹部に電線長手方向にスライド係合させる電気接続箱の電線カバー構造であって、前記電線カバーが、電線挿通用の樋状部と、該樋状部の幅方向両側に設けられ、前記凹部の両側のガイド部に対するスライド係合部とを有し、該凹部への該電線カバーの誤組付を防止するための突出部が、該樋状部の一側において該凹部の奥側に向けて突出形成され、該凹部に該突出部を進入係合させる第二のガイド部が設けられ、
前記樋状部と前記凹部とが前記電線の外周面に沿う湾曲形状の内面を有し、各内面が該外周面に密着することで、該電線に沿って外部から水が前記接続箱本体内に浸入することが防止されたことを特徴とする電気接続箱の電線カバー構造。
【請求項３】
前記第二のガイド部側に前記突出部を係止させる係止部が設けられたことを特徴とする請求項１又は２記載の電気接続箱の電線カバー構造。
【請求項４】
電線を固定した電線カバーを接続箱本体の凹部に電線長手方向にスライド係合させる電気接続箱の電線カバー構造であって、前記電線カバーが、電線挿通用の樋状部と、該樋状部の幅方向両側に設けられ、前記凹部の両側のガイド部に対するスライド係合部とを有し、該凹部への該電線カバーの誤組付を防止するための突出部が、該樋状部の一側において該凹部の奥側に向けて突出形成され、該凹部に該突出部を進入係合させる第二のガイド部が設けられ、
前記第二のガイド部側に前記突出部を係止させる係止部が設けられ、
前記突出部が幅広な部分と幅狭な先端部分とで成り、該幅狭な先端部分が前記係止部で係止されることを特徴とする電気接続箱の電線カバー構造。
【発明の詳細な説明】
【技術分野】
【０００１】
本発明は、自動車用等の電気接続箱の電源供給用等の電線を電線カバーに固定した状態で接続箱本体にスライド係合させる電気接続箱の電線カバー構造に関するものである。
【背景技術】
【０００２】
従来、自動車に搭載される電気接続箱の内側の端子付き電線を、電気接続箱の側壁の凹部にスライド自在に装着した電線カバーに沿って下向きに外部に導出させるために、種々の電気接続箱の電線カバー構造が提案されている。
【０００３】
例えば、特許文献１（図示せず）には、電気接続箱の合成樹脂製の接続箱本体の外壁に凹溝を設け、接続箱本体内の接続部に電線付き端子をねじ締め接続し、凹溝の左右両側のスライド溝（ガイド部）に合成樹脂製のサイドカバー（電線カバー）の左右のスライド係合部をスライド係合させ、端子付き電線をサイドカバーの仕切り壁に結束バンドで固定したことが記載されている。
【０００４】
また、特許文献２（図示せず）には、電気接続箱の合成樹脂製のケース（接続箱本体）の側壁に凹部を設け、ケース内の雄ねじ型の端子部に電線付き端子をねじ締め接続し、凹部の左右の溝（ガイド部）に電線カバーの左右のリブ（スライド係合部）をスライド係合させ、端子付き電線を電線カバーの円弧状のガイド溝に沿って導出させると共に弾性シートで防水したことが記載されている。
【先行技術文献】
【特許文献】
【０００５】
【特許文献１】特開２００６−３２０１３１号公報（図１，図２）
【特許文献２】特開２０１０−４１８０８号公報（図１，図６，図１２）
【発明の概要】
【発明が解決しようとする課題】
【０００６】
しかしながら、上記従来の電気接続箱の電線カバー構造にあっては、例えば電線カバーのスライド係合部や接続箱本体の凹部のガイド部の肉厚が薄い場合に、本来上から下に垂直に電線カバーを凹部にスライド係合させるところを作業者が間違って水平方向に無理やり押し込んだり、あるいは、スライド係合部やガイド部の肉厚が厚くても、電線カバーを上から下にスライド嵌合させる際に、電線カバーを斜めにして強引に嵌合させてしまう（片方のスライド係合部とガイド部が不完全嵌合となる）という懸念があった。これらの場合は、電線カバーのスライド係合部や凹部のガイド部が破損したり、不完全嵌合の電線カバーが外れたりし兼ねないという懸念があった。
【０００７】
また、電線カバーを接続箱本体の凹部側に係止（固定）させるためには、電線カバーに係止アームや係止枠片や係止突起といった係止手段を設けなければならず、電線カバーの構造が複雑化すると共に、係止手段を形成するための樹脂成型金型が複雑化、高コスト化するという懸念があった。
【０００８】
また、下方から端子付き電線を伝わって跳ね水が電気接続箱内に浸入するのを防止するために、例えば弾性シート等を用いて構造が複雑化・高コスト化し兼ねないという懸念があった。
【０００９】
本発明は、上記した点に鑑み、作業者が電線カバーを接続箱本体の凹部にスライド係合させずに無理嵌め（誤組付）するのを防止することができ、それに加えて、電線カバーを簡単且つ低コストな構造で接続箱本体に係止させることができ、それに加えて、電線に沿って下から電気接続箱内に水が浸入するのを簡単な構造で防止することのできる電気接続箱の電線カバー構造を提供することを目的とする。
【課題を解決するための手段】
【００１０】
上記目的を達成するために、本発明の請求項１に係る電気接続箱の電線カバー構造は、電線を固定した電線カバーを接続箱本体の溝状の凹部に電線長手方向にスライド係合させる電気接続箱の電線カバー構造であって、前記電線カバーが、電線挿通用の樋状部と、該樋状部の幅方向両側に設けられ、前記凹部の両側のガイド部に対するスライド係合部とを有し、該凹部への該電線カバーの誤組付を防止するための突出部が、該樋状部の一側において該凹部の奥側に向けて突出形成され、該凹部の該奥側の壁部側に該突出部を進入係合させる第二のガイド部が設けられ、該誤組付の際に該突出部が該凹部の該奥側の壁部に当接することを特徴とする。
【００１１】
上記構成により、作業者が電線カバーを凹部に電線長手方向にスライド係合させずに、誤って例えば電線径方向に強引に斜め嵌合させようとした場合や、あるいは電線カバーを斜めにした状態で凹部にスライド係合させようとした場合でも、電線カバーの突出部の先端が凹部の内面に当接して、あるいは突出部の下端面（電線長手方向の端面）が凹部の上端に当接して、これら電線カバーの斜め嵌合（誤組付）が阻止される。
【００１２】
正規なスライド係合の場合、凹部の両側のガイド部に電線カバーの両側のスライド係合部がスライド係合しつつ、突出部が凹部の第二のガイド部に進入係合して、直交方向の計三箇所のガイド部（両側のガイド部と第二のガイド部）で電線カバーが凹部に安定に位置決めされてガタつきが防止される。
【００１３】
請求項２に係る電気接続箱の電線カバー構造は、電線を固定した電線カバーを接続箱本体の凹部に電線長手方向にスライド係合させる電気接続箱の電線カバー構造であって、前記電線カバーが、電線挿通用の樋状部と、該樋状部の幅方向両側に設けられ、前記凹部の両側のガイド部に対するスライド係合部とを有し、該凹部への該電線カバーの誤組付を防止するための突出部が、該樋状部の一側において該凹部の奥側に向けて突出形成され、該凹部に該突出部を進入係合させる第二のガイド部が設けられ、前記樋状部と前記凹部とが前記電線の外周面に沿う湾曲形状の内面を有し、各内面が該外周面に密着することで、該電線に沿って外部から水が前記接続箱本体内に浸入することが防止されたことを特徴とする。
【００１４】
上記構成により、作業者が電線カバーを凹部に電線長手方向にスライド係合させずに、誤って例えば電線径方向に強引に斜め嵌合させようとした場合や、あるいは電線カバーを斜めにした状態で凹部にスライド係合させようとした場合でも、電線カバーの突出部の先端が凹部の内面に当接して、あるいは突出部の下端面（電線長手方向の端面）が凹部の上端に当接して、これら電線カバーの斜め嵌合（誤組付）が阻止される。正規なスライド係合の場合、凹部の両側のガイド部に電線カバーの両側のスライド係合部がスライド係合しつつ、突出部が凹部の第二のガイド部に進入係合して、直交方向の計三箇所のガイド部（両側のガイド部と第二のガイド部）で電線カバーが凹部に安定に位置決めされてガタつきが防止される。
また、樋状部の内面の下端と凹部の内面の下端とが電線に沿う下からの水の浸入に対するストッパ部として作用し、電線に沿う電気接続箱内への水の浸入が防止される。
【００１５】
請求項３に係る電気接続箱の電線カバー構造は、請求項１又は２記載の電気接続箱の電線カバー構造において、前記第二のガイド部側に前記突出部を係止させる係止部が設けられたことを特徴とする。
【００１６】
上記構成により、電線カバーを凹部に正規にスライド係合させた際に、突出部が第二のガイド部に進入しつつ、第二のガイド部側の係止部が突出部に係合して突出部すなわち電線カバーを係止させる。係止部としては例えば可撓性の係止片や係止爪や係止アーム等が好ましい。
【００１７】
請求項４に係る電気接続箱の電線カバー構造は、電線を固定した電線カバーを接続箱本体の凹部に電線長手方向にスライド係合させる電気接続箱の電線カバー構造であって、前記電線カバーが、電線挿通用の樋状部と、該樋状部の幅方向両側に設けられ、前記凹部の両側のガイド部に対するスライド係合部とを有し、該凹部への該電線カバーの誤組付を防止するための突出部が、該樋状部の一側において該凹部の奥側に向けて突出形成され、該凹部に該突出部を進入係合させる第二のガイド部が設けられ、前記第二のガイド部側に前記突出部を係止させる係止部が設けられ、前記突出部が幅広な部分と幅狭な先端部分とで成り、該幅狭な先端部分が前記係止部で係止されることを特徴とする。
【００１８】
上記構成により、作業者が電線カバーを凹部に電線長手方向にスライド係合させずに、誤って例えば電線径方向に強引に斜め嵌合させようとした場合や、あるいは電線カバーを斜めにした状態で凹部にスライド係合させようとした場合でも、電線カバーの突出部の先端が凹部の内面に当接して、あるいは突出部の下端面（電線長手方向の端面）が凹部の上端に当接して、これら電線カバーの斜め嵌合（誤組付）が阻止される。正規なスライド係合の場合、凹部の両側のガイド部に電線カバーの両側のスライド係合部がスライド係合しつつ、突出部が凹部の第二のガイド部に進入係合して、直交方向の計三箇所のガイド部（両側のガイド部と第二のガイド部）で電線カバーが凹部に安定に位置決めされてガタつきが防止される。
また、電線カバーを凹部に正規にスライド係合させた際に、突出部が第二のガイド部に進入しつつ、第二のガイド部側の係止部が突出部に係合して突出部すなわち電線カバーを係止させる。係止部としては例えば可撓性の係止片や係止爪や係止アーム等が好ましい。
また、作業者が電線カバーを凹部に電線長手方向にスライド係合させずに、誤って電線径方向に強引に斜め嵌合させようとした場合に、電線カバーの突出部の幅広部分の先端面が凹部の内面に広い面積で当接して、電線カバーの誤組付を確実に阻止する。また、突出部の幅狭な先端部分が係止部としての例えば可撓性の係止片を短時間で係止解除方向に撓ませて係止方向に確実に復元させる。
【発明の効果】
【００１９】
請求項１記載の発明によれば、作業者が電線カバーを接続箱本体の凹部にスライド係合させずに無理嵌め（誤組付）するのを防止することができ、無理嵌めに伴う電線カバーや凹部の破損の心配や電線カバーの外れの心配を解消することができる。また、交差する二方向のガイド部と第二のガイド部とで電線カバーのガタつきを防ぐことができる。
【００２０】
請求項２記載の発明によれば、作業者が電線カバーを接続箱本体の凹部にスライド係合させずに無理嵌め（誤組付）するのを防止することができ、無理嵌めに伴う電線カバーや凹部の破損の心配や電線カバーの外れの心配を解消することができる。また、交差する二方向のガイド部と第二のガイド部とで電線カバーのガタつきを防ぐことができる。また、防水シートやパッキン等を用いずに、簡単で低コストな構造で、電線に沿って下から電気接続箱内に水が浸入するのを防止することができる。
【００２１】
請求項３記載の発明によれば、電線カバーの突出部を誤組付防止用として以外に係止手段として兼用したことで、電線カバーの構造を簡素化、低コスト化することができる。
【００２２】
請求項４記載の発明によれば、作業者が電線カバーを接続箱本体の凹部にスライド係合させずに無理嵌め（誤組付）するのを防止することができ、無理嵌めに伴う電線カバーや凹部の破損の心配や電線カバーの外れの心配を解消することができる。また、交差する二方向のガイド部と第二のガイド部とで電線カバーのガタつきを防ぐことができる。また、電線カバーの突出部を誤組付防止用として以外に係止手段として兼用したことで、電線カバーの構造を簡素化、低コスト化することができる。また、突出部の幅広な部分で電線カバーの誤組付を確実に阻止することができ、しかも幅狭な先端部分で係止部を確実に係止させることができる。
【図面の簡単な説明】
【００２３】
【図１】本発明に係る電気接続箱の電線カバー構造の一実施形態を示す分解斜視図である。
【図２】電線カバーに電線をテープ巻きで固定した状態を示す斜視図である。
【図３】電線カバーをフレームにスライド嵌合させた状態を示す斜視図である。
【図４】電線カバーをフレームにスライド嵌合させる前の状態を示す分解斜視図である。
【図５】電線カバーをフレームにスライド嵌合させた状態を示す一部を断面とした斜視図である。
【図６】同じく電線カバーのスライド嵌合状態を示す一部断面とした平面図である。
【図７】電線カバーの誤組付防止構造を示す平面図である。
【図８】誤組付防止構造のない電線カバーの誤組付状態を示す一部を断面とした平面図である。
【図９】同じく電線カバーの正規嵌合状態を示す平面図である。
【図１０】電線カバーの防水作用を示す図９のＡ−Ａ断面概略図である。
【発明を実施するための形態】
【００２４】
図１〜図７は、本発明に係る電気接続箱の電線カバー構造の一実施形態を示すものである。
【００２５】
図１の如く、この電気接続箱１は、上下に貫通した内部空間２を有する合成樹脂製のフレーム（接続箱本体）３と、フレーム３内に下方からスライド挿着される接続ブロック４と、フレーム３の垂直な側壁５に設けられた凹部６に上方から下向きにスライド挿着される合成樹脂製のサイドカバー（電線カバー）７と、フレーム３に上方からスライド挿着されてサイドカバー７の外側を覆う合成樹脂製の不図示のアウタカバーと、フレーム３の上部開口８とアウタカバーの内側の上部開口（フレーム３との間）とを覆う合成樹脂製の不図示のアッパカバーと、フレーム３の下部開口９を塞ぐ合成樹脂製の不図示のロアカバーとを備えるものである。
【００２６】
フレーム３は、ほぼ直交する二つの側壁１０，１１と、各側壁１０，１１にほぼ直交ないし交差して続く短い側壁１２，１３と、短い側壁１２，１３の間で内側に凹んだ部分１４に配設された側壁５とで周方向に連続した周壁を構成し、側壁５にサイドカバー７を装着する凹部６が上下方向に貫通して設けられ、短い側壁１２，１３に設けられた縦方向のスライド係合部１５，１６にアウタカバーが装着される。凹んだ部分１４の下部は外部に開口されている（下部開口を符号１４で代用する）。
【００２７】
接続ブロック４は、絶縁樹脂製のブロック本体１７と、ブロック本体１７に組み付けられた電源供給用の導電金属製のバスバー１８と、バスバー１８に接続された上向きの雄ねじ端子（極柱）１９とを備え、ブロック本体１７はヒュージブルリンク装着部１７ａやリレー装着部等を有している。
【００２８】
雄ねじ端子１９に不図示の電線付き端子がナット締めで接続され、端子付き電線２０（図２）がサイドカバー７にテープ巻き２１等で固定され、その状態でサイドカバー７が雄ねじ端子１９の近傍でフレーム３の凹部６に上方から下向きにスライド挿着される。
【００２９】
図１〜図３の如く、サイドカバー７は略半円（半割）筒状に形成され、上端から下端まで連続した樋状部２２と、樋状部２２の高さ（長手）方向中間部において樋状部２２の外周側（前側）に設けられた垂直なスライド係合部２３と、樋状部２２の上下に設けられた電線固定部２４，２５とを一体に備えると共に、図２の如く、樋状部２２の高さ方向中間部の一側壁４０からスライド係合部２３とは反対側（後側）に突出した幅広矩形板状の垂直な突壁（幅広な部分）２６と、突壁２６の下半側でさらに後方に長く突出した幅狭矩形状の副突部（幅狭な先端部分）２７とを一体に備えたものである。
【００３０】
突壁（主突部）２６と副突部２７とで誤組付防止用の突出部２８を構成し、副突部２７はフレーム３の凹部６に対する係止部として作用する。突壁２６の垂直な後端面（先端面）２６ａは上側の電線固定部２４の垂直な後端面２４ａに水平な段差面（上端面）２６ｂを介して続き、副突部２７の垂直な後端面（先端面）２７ａは突壁２６の後端面２６ａに水平な段差面（上端面）２７ｂを介して続いている。すなわち上側の電線固定部２４の後端面２４ａから段差状に突壁２６が続き、突壁２６から段差状に下側の副突部２７が続いている。
【００３１】
上側の電線固定部２４は、上下の水平（平行）な鍔壁２９，３０と、両鍔壁２９，３０の間の半割状の周溝３１と、突壁２６の上側で両鍔壁２９，３０を連結する垂直壁３２と垂直壁３２内の挿通孔３３で構成され、不図示の結束バンドで電線２０を固定させるものである。図３の如く、下側の電線固定部２５は樋状部２２の外周面に設けられた円弧状の水平な突条であり、図２の如くテープ巻き２１で電線２０を固定させる。
【００３２】
上側の電線固定部２４（特に垂直壁３２やバンド挿通孔３３等）を排除ないし使用せずに下側のテープ巻き２１のみで電線２０を固定させることも可能である。例えばテープ２１は電線２０の外周面に一周程度巻いた後（符号２１ａで示す部分）、樋状部２２の外面と電線２０の外周面とに共巻きされる（符号２１ｂの部分）。電線２０をサイドカバー７に固定した状態で、電線２０付きのサイドカバー７をフレーム３の凹部６にスライド係合させる。
【００３３】
図３の如く、スライド係合部２３は、下側の鍔壁３０に直交して板状に垂下され、板状部３３は左右両側にスライド板部３４，３５を有し、板状部３３の上側に水平な操作板部３６を有している。本例の左右のスライド板部３４，３５は係合側のフレーム３の凹部６の形状に合わせて前後に段差状にずれている。
【００３４】
図２，図５の如く、左右のスライド板部３４，３５の後面は樋状部２２の左右両側の垂直な側壁３９，４０の外面に直交し、側壁３９，４０の外面にスライド係合部２３の一部としての垂直なスライドリブ３７，３８（図５）が突設されている。スライドリブ３７，３８はスライド板部３４，３５と平行に位置し、スライドリブ３７，３８とスライド板部３４，３５との間に垂直なスライド溝４１，４２が構成されている。
【００３５】
スライドリブ３７，３８はスライド板部３４，３５よりも上下方向に短く形成され、スライドリブ３７，３８の上端は下側の鍔壁３０の下面に直交して続き、スライドリブ３７，３８の下端はスライド板部３４，３５の高さ方向中間部において後側の副突部２７の下面２７ｃ（図２）と略同程度の高さに位置している。
【００３６】
図６の如く、樋状部２２の左右の垂直な側壁３９，４０の内側において樋状部２２の内側面（内周面）は横断面矩形状に形成されているが、樋状部２２の上部３１（図２）と下部４３との各内側面（内周面）３１ａ，４３ａは電線２０（図２）の断面形状に合わせた横断面円弧状に形成されている。
【００３７】
図４〜図６の如く、フレーム３の凹部（凹溝）６には、左右両側に垂直なガイド溝（ガイド部）４４，４５が対向して設けられ、左右のガイド溝４４，４５の前側に垂直な細長リブ状のガイド壁（ガイド部）４６，４７が位置し、本例において右側のガイド壁４７は横断面逆コの字状の壁部４９の一部を成し、逆コの字状の壁部のうちの前側の壁部４８が垂直な細長リブ状のガイド壁（ガイド部）（４８）を成している。各ガイド壁４６，４６の後側に各ガイド溝４４，４５が隣接して位置している。
【００３８】
図５，図６の如く、左右のガイド溝４４，４５にサイドカバー７の左右のスライドリブ３７，３８が下向きにスライド係合する。各ガイド溝４４，４５内には各スライドリブ３７，３８の下端を当接させる水平なストッパ壁４４ａ，４５ａ（図７）が設けられている。左側のガイド壁４６と右側前端のガイド壁４８との外面（前面）に沿ってサイドカバー７のスライド板部３４，３５の内面（後面）が摺接する。左側のガイド壁４６と右側中間のガイド壁４７との内面（後面）に沿って各スライドリブ３７，３８の前面が摺接する。
【００３９】
各ガイド溝４４，４５の後面は後側の前後方向に短い壁部５０，５１に直交し、短い壁部５０，５１は凹部６の奥側の湾曲面５２に続いている。湾曲面５２は、挿通される電線２０（図２）の外周面の断面形状に沿って横断面円弧状に形成されている。
【００４０】
湾曲面５２の片側（本例で右側）に後側の第二のガイド溝（ガイド部）５３が左右のガイド溝４４，４５とは直交する方向に（後方に向けて）切欠形成されている。後側のガイド溝５３は左右のガイド溝４４，４５のように三方をガイド壁面で囲まれているのではなく、左右の二方にガイド壁面５３，５４を対向して有し、後側のガイド溝５３の後部はフレーム３内の狭い区画された後側の空間５５に連通している。
【００４１】
後側の空間５５を区画する片側（本例で左側）の壁部５４に略凹字状のスリットで切欠して可撓性の係止片（係止部）５６が一体に且つ下向きに設けられ、係止片５６の下端部の外向きの係止突起５６ａは後側の空間５５内に突出している。係止突起５６ａは上側の傾斜面５６ｂと下側の水平な係止面５６ｃを有している。後側のガイド溝５３内には前記ストッパ壁４４ａ，４５ａ（図４）と同じ高さに同様のストッパ壁５７が設けられている。
【００４２】
後側のガイド溝５３内にサイドカバー７の後側の突出部２８が進入係合し、突出部２８のうちの副突部２７が係止片５６に係合する。副突部２７は係止部（ロック部）を兼ねている。凹部６にサイドカバー７を上から下向きにスライド係合させるに伴って副突部２７が係止片５６を左側に撓ませて、副突部２７が係止突起５６ａを乗り越えると同時に、係止片５６が弾性的に復元して、係止突起５６ａが副突部２７の上面に当接係合し、同時にスライドリブ３７，３８と突出部２８との各下端面が各ストッパ壁４４ａ，４５ａ，５７に当接する。
【００４３】
サイドカバー７の樋状部２２の左右の側壁３９，４０の先端面（後端面）は凹部６の湾曲面５２の手前の左右両側の壁面５８に当接する。係止片５６と副突部２７との係止解除は、上方から細いマイナスドライバ等を差し込んで係止突起５６ａを押して内向きに撓ませることで簡単に行うことができる。
【００４４】
図３の如く、サイドカバー７をフレーム３の凹部６に完全にスライド係合させた状態で、上側の電線固定部２４は凹部６の上方に突出し、下側の鍔壁３０の下面がガイド壁４６，４７（図５）の上端に当接し、左右のスライド板３４，３５の内面が左右のガイド壁４６，４８の外面に接する。
【００４５】
図６の如く、突出部２８の突出長さは、サイドカバー７をフレーム３の凹部６に完全嵌合させた状態で、凹部６の奥側の湾曲面５２よりも後方に突出する長さに設定されている。すなわち、樋状部２２の一側壁４０の後端面４０ａから凹部６の奥側の湾曲面５２までの水平距離よりも長い突出長さで突出部２８が一側壁４０の後端面４０ａから突出している。
【００４６】
図７の如く、作業者がサイドカバー７を凹部６内に上から下向きにスライド式にではなく、間違って例えば前から後向きに強引に組み付けようとした場合には、長く突出した突出部２８の先端２７ａが凹部６の奥側の湾曲面５２に当接して組付が阻止される。
【００４７】
また、図７の如く、サイドカバー７を周方向に傾けた状態で上から下向きにスライド係合させようとした場合には、片方のスライドリブ３８が片方のガイド溝４５内に係合しても、長く突出した突出部２８の下面２７ｃ（図２）が凹部６の奥側の壁部５２の上端面５２ａに当接してそれ以上のスライド係合が阻止される。このようにして、サイドカバー７の誤組付が確実に防止される。
【００４８】
参考までに、図８に突出部２８のないサイドカバー７’を凹部６に誤組付（斜め嵌合）する状態を示す如く、サイドカバー７’を例えば前から後向きに凹部６に強引に斜め嵌合させると、サイドカバー７’の片方のスライドリブ３８が片方のガイド溝４５に嵌合し、もう片方のスライドリブ３７と樋状部２２の側壁３９とが弾性的にガイド壁４６に当接して、サイドカバー７’があたかも組み付けられたように見えてしまう懸念がある。
【００４９】
サイドカバー７’の樋状部２２の側壁３９，４０の何れか一方を部分的に延長して突出部２８を設けることで、上記のようにサイドカバー７の誤組付を確実に防ぐことができる。突出部２８を樋状部２２の一側部に配置したことで、例えば樋状部２２の幅方向中央（内側）に突出部２８を設ける場合に較べて、電線挿通空間が広く確保される。また、突出部２８の一部（副突部）２７をフレーム３に対する係止部として機能させたことで、サイドカバー７の構造が簡素化・低コスト化される。
【００５０】
図９の如く、突出部２８を設けないサイドカバー７’であっても、樋状部２２の上下の断面円弧状の壁部４３の内径を挿通させる電線２０の外径にほぼ等しく設定し、樋状部２２の内周面３１ａ，４３ａを電線２０の前側と左右両側の外周面２０ａに密着させ、且つフレーム３の凹部６の奥側の湾曲状の壁部５２の内径を電線２０の外径にほぼ等しく設定し、奥側の壁部５２ａの断面円弧状の内周面５２を電線２０の後側の外周面２０ｂに密着させることで、図１０（図９のＡ−Ａ断面概略図）の如く、例えばエンジンルームに搭載された電気接続箱１’において、下方から跳ね上げられた水５９が電線２０に沿って上昇しつつフレーム３の凹部６側の壁部５２’の下端面５２ａ’に当たって下向きに跳ね返り、それ以上の上方への水の浸入が阻止されて、防水性が高められる。
【００５１】
これは、突出部２８を有するサイドカバー７においても同様であり、防水シートやパッキン等の防水部材を用いることなく、電線２０の外周面にサイドカバー７とフレーム３の凹部６との各内周面（内面）３１ａ，４３ａ，５２を密着させるという簡単で低コストな構造で、下から電線２０を伝わって電気接続箱１内に水が浸入することを防ぐことができる。
【００５２】
なお、上記実施形態においては、ガイド部としてガイド溝４４，４５とガイド壁４６，４８を用い、スライド係合部としてスライド板部３４，３５とスライドリブ３７，３８を用いたが、これらガイド部とスライド係合部の構成については必要に応じて適宜変更（設定）可能である。
【産業上の利用可能性】
【００５３】
本発明に係る電気接続箱の電線カバー構造は、例えば自動車のエンジンルーム等に搭載される電気接続箱において、作業者が電線カバーを接続箱本体の凹部に誤組付なく正規な手法でスライド装着させ、それに加えて、電線に沿って下から電気接続箱内に水が浸入するのを簡単な構造で防止するために利用することができる。
【符号の説明】
【００５４】
１                    電気接続箱
３                    フレーム（接続箱本体）
６                    凹部
７                    サイドカバー（電線カバー）
２０                  電線
２２                  樋状部
２３                  スライド係合部
２６                  突壁（幅広な部分）
２７                  副突部（幅狭な先端部分）
２８                  突出部
３１ａ，４３ａ，５２  内面
４４，４５            ガイド溝（ガイド部）
４６，４８            ガイド壁（ガイド部）
５３                  第二のガイド部
５６                  係止片（係止部）
【図１】
0005798785.tif 000002
【図２】
0005798785.tif 000003
【図３】
0005798785.tif 000004
【図４】
0005798785.tif 000005
【図５】
0005798785.tif 000006
【図６】
0005798785.tif 000007
【図７】
0005798785.tif 000008
【図８】
0005798785.tif 000009
【図９】
0005798785.tif 000010
【図１０】
0005798785.tif 000011